(57)【要約】【課題】  画像形成装置についてユーザが使用したいときのダウンタイムの発生を低減する。【解決手段】  画像形成装置において、プリントエンジン１１は、温度センサ１２により検出された温度に応じて、補正データテーブル３２内の複数のレジストレーション補正データから１つのレジストレーション補正データを選択し、選択したレジストレーション補正データに従って色ズレを解消するように露光装置２を制御して、印刷を実行する。【選択図】  図２
2011154217.tif 000002
【特許請求の範囲】
【請求項１】
露光装置を使用して電子写真プロセスにより画像形成を行う画像形成装置において、
当該画像形成装置内の温度を検出する温度センサと、
画像形成装置内の温度に対応する複数のレジストレーション補正データを有する補正データテーブルと、
前記温度センサにより検出された温度に応じて前記複数のレジストレーション補正データから１つのレジストレーション補正データを選択し、選択したレジストレーション補正データに従って色ズレを解消するように前記露光装置を制御する制御部と、
を備えることを特徴とする画像形成装置。
【請求項２】
前記制御部は、前記レジストレーション補正データを選択したときの前記温度を記憶装置に記憶し、印刷実行命令が発生したときに、その時点で前記温度センサにより検出される温度と、前記記憶装置に記憶されている温度との差が所定の値以上である場合、その時点で前記温度センサにより検出される温度に対応するレジストレーション補正データを選択し、選択したレジストレーション補正データに従って前記露光装置を制御すること、
を特徴とする請求項１記載の画像形成装置。
【請求項３】
前記制御部は、当該画像形成装置内で所定のイベントが発生すると、前記複数のレジストレーション補正データから、その時点で前記温度センサにより検出される温度に対応するレジストレーション補正データを選択することを特徴とする請求項１記載の画像形成装置。
【請求項４】
前記イベントは、スリープ状態からの復帰、または所定枚数の連続印刷であることを特徴とする請求項３記載の画像形成装置。
【請求項５】
前記制御部は、前記印刷実行命令に基づく印刷が完了した後に、レジストレーション補正を実行し、そのレジストレーション補正の結果に応じて、前記補正データテーブルのうち、その時点で前記温度センサにより検出される温度に対応するレジストレーション補正データを更新することを特徴とする請求項２記載の画像形成装置。
【請求項６】
前記制御部は、前記印刷実行命令に連続して発生しているすべて印刷実行命令に基づく印刷が完了した後にレジストレーション補正を実行することを特徴とする請求項５記載の画像形成装置。
【請求項７】
前記制御部は、前記印刷実行命令に基づく印刷が完了した後に、その時点で前記温度センサにより検出される温度についての前記レジストレーション補正データが、前回の更新からの経過時間および／または印刷枚数についての条件を満たす場合のみ、レジストレーション補正を実行し、そのレジストレーション補正の結果に応じて、そのレジストレーション補正データを更新することを特徴とする請求項５記載の画像形成装置。
【請求項８】
前記レジストレーション補正データは、所定の温度範囲に対する補正値を有することを特徴とする請求項１から請求項７のうちのいずれか１項記載の画像形成装置。
【請求項９】
前記温度センサは、前記露光装置に設けられ、前記露光装置の温度を検出することを特徴とする請求項１から請求項８のうちのいずれか１項記載の画像形成装置。
【請求項１０】
前記装置内の湿度を検出する湿度センサを備え、
前記補正データテーブルは、前記湿度および前記温度に対応する複数のレジストレーション補正データを有し、
前記制御部は、前記湿度センサおよび前記温度センサにより検出された湿度および温度に応じて前記複数のレジストレーション補正データから１つのレジストレーション補正データを選択し、選択したレジストレーション補正データに従って色ズレを解消するように前記露光装置を制御すること、
を特徴とする請求項１から請求項９のうちのいずれか１項記載の画像形成装置。
【発明の詳細な説明】
【技術分野】
【０００１】
本発明は、画像形成装置に関するものである。
【背景技術】
【０００２】
タンデム方式のカラー画像形成装置では、シアン、マゼンタ、イエローおよびブラックといった複数色の感光体および現像装置が配列して設置されており、それらの感光体および現像装置によりそれぞれの色のトナー像を中間転写ベルトへ転写し、複数色のトナー像を中間転写ベルトから用紙へ転写する（例えば特許文献１参照）。
【０００３】
このようなカラー画像形成装置では、独立した複数の感光体から中間転写ベルトへトナー像が転写されるため、適切なタイミングで各色の感光体から中間転写ベルトへトナー像を行わないと、色ズレが生じてしまう。この色ズレを生じないようにするためにレジストレーション処理が行われる。
【０００４】
この色ズレ量は、温度変動による露光装置の機械的な微小変形などに起因して変化するため、レジストレーションの補正が行われる（例えば特許文献１参照）。
【先行技術文献】
【特許文献】
【０００５】
【特許文献１】特開２００６−１９８８９６号公報
【発明の概要】
【発明が解決しようとする課題】
【０００６】
上述のレジストレーション補正を行うには、１〜２分程度の時間を要するため、装置にダウンタイムが発生し、その時間は印刷を行うことはできない。このようなダウンタイムは、ユーザへストレスを与えるため、好ましくない。
【０００７】
本発明は、上記の問題に鑑みてなされたものであり、ユーザが装置を使用したいときのダウンタイムの発生を低減することができる画像形成装置を得ることを目的とする。
【課題を解決するための手段】
【０００８】
上記の課題を解決するために、本発明では以下のようにした。
【０００９】
本発明に係る画像形成装置は、当該画像形成装置内の温度を検出する温度センサと、画像形成装置内の温度に対応する複数のレジストレーション補正データを有する補正データテーブルと、温度センサにより検出された温度に応じて複数のレジストレーション補正データから１つのレジストレーション補正データを選択し、選択したレジストレーション補正データに従って色ズレを解消するように露光装置を制御する制御部とを備える。
【００１０】
これにより、スリープからの復帰時などにおいて、実際にパッチ画像をトナー現像して色ズレ量を測定するレジストレーション補正を実行せずに、色ズレを抑制することができる。このため、ユーザが装置を使用したいときのダウンタイムの発生を低減することができる。
【００１１】
また、本発明に係る画像形成装置は、上記の画像形成装置に加え、次のようにしてもよい。この場合、制御部は、レジストレーション補正データを選択したときの温度を記憶装置に記憶し、印刷実行命令が発生したときに、その時点で温度センサにより検出される温度と、記憶装置に記憶されている温度との差が所定の値以上である場合、その時点で温度センサにより検出される温度に対応するレジストレーション補正データを選択し、選択したレジストレーション補正データに従って露光装置を制御する。
【００１２】
これにより、露光装置の制御に使用するレジストレーション補正データを選択し直す頻度が少なくなるため、ユーザが装置を使用したいときのダウンタイムの発生をより低減することができる。
【００１３】
また、本発明に係る画像形成装置は、上記の画像形成装置のいずれかに加え、次のようにしてもよい。この場合、制御部は、当該画像形成装置内で所定のイベントが発生すると、複数のレジストレーション補正データから、その時点で温度センサにより検出される温度に対応するレジストレーション補正データを選択する。
【００１４】
これにより、スリープからの復帰時などの特定イベント発生時に、通常であると、色ズレ量を実際に測定してレジストレーション補正を行うが、そのような特定イベント発生時にもレジストレーション補正を行う必要がなく、ユーザが装置を使用したいときのダウンタイムの発生をより低減することができる。
【００１５】
また、本発明に係る画像形成装置は、上記の画像形成装置のいずれかに加え、次のようにしてもよい。この場合、イベントは、スリープ状態からの復帰、または所定枚数の連続印刷である。
【００１６】
また、本発明に係る画像形成装置は、上記の画像形成装置のいずれかに加え、次のようにしてもよい。この場合、制御部は、印刷実行命令に基づく印刷が完了した後に、レジストレーション補正を実行し、そのレジストレーション補正の結果に応じて、補正データテーブルのうち、その時点で温度センサにより検出される温度に対応するレジストレーション補正データを更新する。
【００１７】
これにより、装置個体の特性およびその設置環境に応じて補正データが更新されるため、経続して最適な補正データにより、より正確に色ズレを抑制することができる。
【００１８】
また、本発明に係る画像形成装置は、上記の画像形成装置のいずれかに加え、次のようにしてもよい。この場合、制御部は、印刷実行命令に連続して発生しているすべて印刷実行命令に基づく印刷が完了した後にレジストレーション補正を実行する。
【００１９】
これにより、ユーザが装置を使用したい期間を避けてレジストレーション補正を行うため、ダウンタイムの発生を低減することができる。
【００２０】
また、本発明に係る画像形成装置は、上記の画像形成装置のいずれかに加え、次のようにしてもよい。この場合、制御部は、印刷実行命令に基づく印刷が完了した後に、その時点で温度センサにより検出される温度についてのレジストレーション補正データが、前回の更新からの経過時間および／または印刷枚数についての条件を満たす場合のみ、レジストレーション補正を実行し、そのレジストレーション補正の結果に応じて、そのレジストレーション補正データを更新する。
【００２１】
これにより、レジストレーション補正の頻度を低くすることができ、ユーザが装置を使用したいときのダウンタイムの発生を低減することができる。
【００２２】
また、本発明に係る画像形成装置は、上記の画像形成装置のいずれかに加え、次のようにしてもよい。この場合、レジストレーション補正データは、所定の温度範囲に対する補正値を有する。
【００２３】
また、本発明に係る画像形成装置は、上記の画像形成装置のいずれかに加え、次のようにしてもよい。この場合、温度センサは、露光装置に設けられ、露光装置の温度を検出する。
【００２４】
また、本発明に係る画像形成装置は、上記の画像形成装置のいずれかに加え、次のようにしてもよい。この場合、画像形成装置は、装置内の湿度を検出する湿度センサを備える。そして、補正データテーブルは、湿度および温度に対応する複数のレジストレーション補正データを有し、制御部は、湿度センサおよび前記温度センサにより検出された湿度および温度に応じて複数のレジストレーション補正データから１つのレジストレーション補正データを選択し、選択したレジストレーション補正データに従って色ズレを解消するように露光装置を制御する。
【発明の効果】
【００２５】
本発明によれば、画像形成装置において、実際にパッチ画像をトナー現像して色ズレ量を測定するレジストレーション補正を実行せずに、色ズレを抑制することができる。このため、ユーザが装置を使用したいときのダウンタイムの発生を低減することができる。
【図面の簡単な説明】
【００２６】
【図１】図１は、本発明の実施の形態１に係る画像形成装置の機械的な内部構成を示す側面図である。
【図２】図２は、本発明の実施の形態１に係る画像形成装置の電気的な構成を示すブロック図である。
【図３】図３は、実施の形態１に係る画像形成装置による色ズレ補正について説明するフローチャートである。
【図４】図４は、実施の形態１に係る画像形成装置における露光装置の温度変化の例を示す図である。
【図５】図５は、実施の形態２に係る画像形成装置による色ズレ補正について説明するフローチャートである。
【発明を実施するための形態】
【００２７】
以下、図に基づいて本発明の実施の形態を説明する。
【００２８】
実施の形態１．
【００２９】
図１は、本発明の実施の形態１に係る画像形成装置の機械的な内部構成を示す側面図である。画像形成装置は、プリンタ、ファクシミリ装置、複写機、複合機などといった、印刷機能を有する装置である。
【００３０】
この実施の形態１の画像形成装置は、タンデム方式のカラー現像装置を有する。このカラー現像装置は、感光体ドラム１ａ〜１ｄ、露光装置２および現像装置３ａ〜３ｄを有する。感光体ドラム１ａ〜１ｄは、シアン、マゼンタ、イエローおよびブラックの４色の感光体である。
【００３１】
露光装置２は、感光体ドラム１ａ〜１ｄへレーザ光をそれぞれ照射して静電潜像を形成する装置である。各露光装置２は、レーザスキャナユニットである。このレーザスキャナユニットには、例えば特開２００８−５１８４１号公報に記載のものなどが使用される。露光装置２は、レーザ光の光源であるレーザダイオード、そのレーザ光を感光体ドラム１ａ〜１ｄへ導く光学素子（レンズ、ミラー、ポリゴンミラーなど）を有する。１色につき１つの露光装置２があり、露光装置２は、装置内部のハウジングなどの構造体に取り付けられている。このため、温度変動により露光装置２内の光学素子が機械的に変位し、これにより光学系にズレが生じ、ある温度でレジストレーション処理を行っていても色ズレが発生する。このため、レジストレーション補正が必要になる。
【００３２】
また、現像装置３ａ〜３ｄは、トナーカートリッジ内のトナーを感光体ドラム１ａ〜１ｄ上の静電潜像に付着させてトナー像を形成する。
【００３３】
感光体ドラム１ｄおよび現像装置３ｄにより、マゼンタの現像が行われ、感光体ドラム１ｃおよび現像装置３ｃにより、シアンの現像が行われ、感光体ドラム１ｂおよび現像装置３ｂにより、イエローの現像が行われ、感光体ドラム１ａおよび現像装置３ａにより、ブラックの現像が行われる。
【００３４】
レジストレーション処理（レジストレーション補正を含む）の際には、各現像装置３ａ〜３ｄは、カラーレジストパターン（トナーパッチ画像）を現像する。
【００３５】
中間転写ベルト４は、感光体ドラム１ａ〜１ｄに接触し、感光体ドラム１ａ〜１ｄ上のトナー像を転写される環状の像担持体である。中間転写ベルト４は、駆動ローラ５に張架され、駆動ローラ５からの駆動力によって、感光体ドラム１ｄとの接触位置から感光体ドラム１ａとの接触位置への方向へ周回していく。この中間転写ベルト４は、レジストレーション処理の際にカラーレジストパターンを担持する。
【００３６】
転写ローラ６は、搬送されてくる用紙を転写ベルト４に接触させ、転写ベルト４上のトナー像を用紙に転写する。なお、トナー像を転写された用紙は、定着器９へ搬送され、トナー像が用紙へ定着される。
【００３７】
ローラ７は、中間転写ベルト４に接触し、用紙へのトナー像の転写後に中間転写ベルト４に残ったトナーを除去する。
【００３８】
センサ８は、中間転写ベルト４に光線を照射し、その反射光を検出する。レジストレーション処理の際に、センサ８は、中間転写ベルト４上のカラーレジストパターンに光線を照射し光線の反射光を検出する。
【００３９】
図２は、本発明の実施の形態１に係る画像形成装置の電気的な構成を示すブロック図である。図２において、プリントエンジン１１は、上述のローラなどを駆動する図示せぬ駆動源および露光装置２を制御して、トナー画像の現像、転写、および定着を実行させるとともに、給紙、印刷および排紙を実行させる処理回路である。
【００４０】
温度センサ１２は、露光装置２に設置され、露光装置２の温度を検出する素子である。温度センサ１２には例えばサーミスタなどが使用される。なお、複数色についての露光装置２が別々に設置される場合には、いずれか１つの露光装置２に温度センサ１２が設置される。
【００４１】
記憶装置１３は、各種データを格納する不揮発性の記憶媒体（フラッシュメモリ、ハードディスクドライブなど）を有する。ここでは、記憶装置１３は、基本データテーブル３１と補正データテーブル３２とを記憶している。基本データテーブル３１は、所定の環境（所定温度）で色ズレが発生しないように、露光装置２による各色の現像タイミングを制御するためのデータであり、補正データテーブル３２は、温度に対応する複数のレジストレーション補正データを有する。この実施の形態では、複数のレジストレーション補正データは、温度に対応して基本データテーブルのデータを補正するために乗算される補正係数値である。これらのレジストレーション補正データは、画像形成装置の機種ごとに実験などにより予め取得され、記憶装置１３に設定される。
【００４２】
プリントエンジン１１は、通常のレジストレーション補正機能の他に、温度センサ１２により検出された温度に応じて、補正データテーブル３２内の複数のレジストレーション補正データから１つのレジストレーション補正データを選択し、選択したレジストレーション補正データに従って色ズレを解消するように露光装置２を制御する機能を有する。つまり、基本データテーブル３１により指定される露光装置２を制御するための制御パラメータ（露光タイミングのパラメータ）の値が、選択された補正データで調整される。
【００４３】
表示装置１４は、操作パネルなどにおける液晶ディスプレイである。コントローラ１５は、ユーザ操作およびジョブを受け付け、プリントエンジン１１、表示装置１４などの内部装置を制御する回路である。
【００４４】
次に、色ズレ補正に関する上記画像形成装置の動作について説明する。図３は、実施の形態１に係る画像形成装置による色ズレ補正について説明するフローチャートである。
【００４５】
まず、露光装置２の温度変動の概要について説明する。図４は、実施の形態１に係る画像形成装置における露光装置２の温度変化の例を示す図である。図４に示すように、装置の起動直後、装置の動作モードは、通常モードとなるため、定着器９のヒータなどの各部が通電状態となり、露光装置２の温度は、上昇していく。その後、印刷実行命令が発生し、連続的に印刷が実行されると、露光装置２の温度は、より上昇していく。その後、印刷が完了し、印刷実行命令の発生がなく所定の時間が経過すると、装置の動作モードがスリープモードへ移行する。そして、スリープモードへ移行すると、コントローラ１５等の電子回路以外への電力供給が停止されて装置内での発熱量が減るため、露光装置２の温度は低下していき、スリープモードのまま長時間が経過すると、露光装置２の温度は、装置の外気温（環境温度）とほぼ同一となる。その後、印刷実行命令が発生すると、動作モードが通常モードへ移行する。通常モードへ移行すると、装置内での発熱量が増加するため、露光装置２の温度は、上昇していく。
【００４６】
このように、露光装置２の温度は、外気温、装置の動作モード、印刷量などに応じて変動する。そして、この温度変動で、露光装置２を構成する光学素子やその取付部材が微小変形するため、色ズレ補正が必要となる。
【００４７】
ユーザ操作またはホスト装置による印刷実行命令をコントローラ１５が受け付けると（ステップＳ１）、プリントエンジン１１は、以下の処理を実行する。なお、スリープ状態において印刷実行命令をコントローラ１５が受け付けると、プリントエンジン１１は、動作モードを通常モードへ移行させた後、以下の処理を実行する。
【００４８】
まず、プリントエンジン１１は、現在の露光装置２の温度を温度センサ１２から取得し（ステップＳ２）、現在使用されている補正データが選択された際の露光装置２の温度を記憶装置１３などから読み出し（ステップＳ３）、両者の差が所定値（例えば５度）以上であるか否かを判定する（ステップＳ４）。
【００４９】
プリントエンジン１１は、これらの温度の差が所定値以上であると判定した場合、取得した現在の温度に対応する補正データを選択し補正データテーブル３２から読み出し、以後、その補正データを使用して露光装置２の制御を行う（ステップＳ５）。
【００５０】
そして、プリントエンジン１１は、記憶装置１３等に記憶されている温度を、取得した現在の温度で更新する（ステップＳ６）。これにより、次回の、補正データ選択時には、ステップＳ３においてこの温度が読み出される。
【００５１】
そして、プリントエンジン１１は、ステップＳ５で選択した補正データを使用して露光装置２を制御して、印刷実行命令に基づく印刷を実行する（ステップＳ７）。
【００５２】
一方、ステップＳ４において、上述の２つの温度の差が所定値未満であると判定した場合、プリントエンジン１１は、現在選択されている補正データをそのまま使用して、露光装置２を制御して、印刷実行命令に基づく印刷を実行する（ステップＳ７）。つまり、この場合には、補正データは選択し直されない。
【００５３】
以上のように、上記実施の形態１によれば、プリントエンジン１１は、温度センサ１２により検出された温度に応じて複数のレジストレーション補正データから１つのレジストレーション補正データを選択し、選択したレジストレーション補正データに従って色ズレを解消するように露光装置２を制御して、印刷を行う。
【００５４】
これにより、スリープからの復帰時などにおいて、実際にパッチ画像をトナー現像して色ズレ量を測定するレジストレーション補正を実行せずに、補正データの値を変更するだけで（つまり、ソフトウェア的なデータ操作だけで）、色ズレを抑制することができる。このため、ユーザが装置を使用したいときのダウンタイムの発生を低減することができる。
【００５５】
例えば、スリープモードで長期間が経過した後に通常モードへ復帰した場合、前回のレジストレーション補正時から温度が大きく低下していることが多い。したがって、その場合、従来の装置では、レジストレーション補正が行われる。一方、この実施の形態に係る装置では、補正データの切り替え後、ただちに印刷が開始できるため、ダウンタイムの発生を低減することができる。
【００５６】
実施の形態２．
【００５７】
本発明の実施の形態２に係る画像形成装置は、印刷を実行していないときにレジストレーション補正を実行して、その結果に基づいて、補正データテーブル３２内の補正データを更新する。
【００５８】
実施の形態２に係る画像形成装置の構成および動作は、実施の形態１のものと同様である。ただし、実施の形態２では、プリントエンジン１１は、以下のように動作する。
【００５９】
図５は、実施の形態２に係る画像形成装置による色ズレ補正について説明するフローチャートである。
【００６０】
実施の形態２では、プリントエンジン１１は、実施の形態１のように印刷実行命令が発生したときの温度に応じた補正データを使用して露光装置２を制御して印刷を実行する（ステップＳ２〜Ｓ７）。
【００６１】
その印刷実行命令に基づく印刷が完了した後、プリントエンジン１１は、トナー現像を伴うレジストレーション補正を実行し（ステップＳ１１）、実際の色ズレ量を測定し、その色ズレ量から、レジストレーション補正の時点で温度センサ１２により検出される温度に対応するレジストレーション補正データ（つまり、適切な補正値）を計算する（ステップＳ１２）。具体的には、レジストレーション補正において、測定された色ズレ量をゼロにするための制御パラメータの補正係数値が計算される。
【００６２】
そして、プリントエンジン１１は、計算した補正データと、補正データテーブル３２のうち、レジストレーション補正の時点で温度センサ１２により検出される温度とを比較して両者が同一であるか否かを判定し（ステップＳ１３）、両者が同一でなければ、計算した補正データで、その補正データテーブル３２内の補正データを更新する（ステップＳ１４）。
【００６３】
なお、プリントエンジン１１は、上述の印刷実行命令に連続して発生している印刷実行命令がある場合には、その後続の印刷実行命令に基づく印刷が完了した後にレジストレーション補正を実行する。
【００６４】
また、プリントエンジン１１は、レジストレーション補正の開始前の時点で温度センサ１２により検出される温度についての補正データが、前回の更新からの経過時間および／または印刷枚数についての条件を満たす場合のみ、レジストレーション補正を実行するようにしてもよい。例えば、前回の更新から所定の時間が経過していない場合、および前回の更新から所定の枚数の印刷が行われていない場合には、プリントエンジン１１は、レジストレーション補正を実行せず、その補正データの更新を行わない。
【００６５】
以上のように、上記実施の形態２によれば、プリントエンジン１１は、印刷実行命令に基づく印刷が完了した後に、レジストレーション補正を実行し、そのレジストレーション補正の結果に応じて、補正データテーブル３２のうち、その時点で温度センサ１２により検出される温度に対応するレジストレーション補正データを更新する。
【００６６】
これにより、装置個体の特性およびその設置環境に応じて補正データが更新されるため、継続的に最適な補正データにより、より正確に色ズレを抑制することができる。
【００６７】
なお、上述の各実施の形態は、本発明の好適な例であるが、本発明は、これらに限定されるものではなく、本発明の要旨を逸脱しない範囲において、種々の変形、変更が可能である。
【００６８】
例えば、上記の各実施の形態において、温度センサ１２は、露光装置２に直接設置せずに、間接的に露光装置２の温度を検出可能な位置に設置してもよい。また、温度センサ１２は、装置内のいずれかの位置に設け、その位置の温度から露光装置２の温度を特定するようにしてもよい。
【００６９】
また、上記の各実施の形態において、湿度センサを装置内に設け、補正データテーブル３２は、湿度および温度に対応する複数のレジストレーション補正データを有し、プリントエンジン１１は、その湿度センサおよび温度センサ１２により検出された湿度および温度に応じて複数のレジストレーション補正データから１つのレジストレーション補正データを選択し、選択したレジストレーション補正データに従って色ズレを解消するように露光装置２を制御するようにしてもよい。これにより、湿度変化によって微小変形する樹脂などが露光装置２の部材に使用されている場合、そのような微小変形に起因する色ズレを抑制することができる。
【００７０】
また、上記の各実施の形態において、スリープからの復帰の他、所定枚数（１０００枚）の連続印刷などといった所定のイベントが画像形成装置内で発生すると、プリントエンジン１１は、複数のレジストレーション補正データから、その時点で温度センサ１２により検出される温度に対応するレジストレーション補正データを選択するようにしてもよい。
【００７１】
また、上記の各実施の形態において、補正データテーブル３２内の各補正データは、温度範囲（例えば１０〜２０度）につき１つの補正係数値を有するようにしてもよい。
【００７２】
また、上記の各実施の形態において、露光装置２は、マルチビーム光源であってもよい。
【産業上の利用可能性】
【００７３】
本発明は、例えば、プリンタ、複合機などといった印刷機能を有する装置に適用可能である。
【符号の説明】
【００７４】
２  露光装置
１１  プリントエンジン（制御部の一例）
１２  温度センサ
３２  補正データテーブル
【図１】
2011154217.tif 000003
【図２】
2011154217.tif 000004
【図３】
2011154217.tif 000005
【図４】
2011154217.tif 000006
【図５】
2011154217.tif 000007